(57)【要約】【課題】無線端末の周辺領域内の各無線方式の無線状態をユーザ側で認識可能にした。【解決手段】複数の無線方式で無線通信可能な無線端末５と、無線端末５を管理する管理サーバ６とを有するコグニティブ無線システムであって、現在位置及び無線方式単位の受信電力平均値を無線端末５側で取得し、無線端末５から現在位置及び受信電力平均値を順次収集し、現在位置及び受信電力平均値に基づき、位置毎の受信品質を無線方式単位で管理サーバ６側で管理し、無線端末５からの要求を受信すると、管理サーバ６側で管理中の無線端末５の現在位置を含む周辺領域及び周辺領域内の無線方式単位の受信電力平均値を含む周辺受信状況として無線端末５に提供し、無線端末５は、周辺受信状況に基づき、無線端末の周辺領域内の広帯域の最適な無線方式の選択を案内する無線案内情報を生成し、無線案内情報を表示部上に画面表示し、選択した無線方式に切替えることができる。【選択図】図１０
2010041101.tif 000002
【特許請求の範囲】
【請求項１】
表示装置付きで、複数の異なる無線方式の内、一の無線方式を選択して無線通信する１または複数の無線端末装置と、前記無線方式毎に複数のアクセスポイントを含むネットワークを介して前記各無線端末装置と通信可能な管理サーバとを有する無線通信システムであって、
前記無線端末装置は、
前記管理サーバと通信可能な端末通信部と、
該無線端末装置毎に現在位置及び、この現在位置に関わる無線方式単位の最寄りのアクセスポイントから当該無線端末装置への情報を受信して受信品質を取得する受信品質取得部と、
前記無線端末装置に関わる現在位置及び無線方式単位の受信品質を、前記端末通信部を介して、順次前記管理サーバに通知する受信品質通知部と、
前記端末通信部を介して前記管理サーバに周辺受信状況を要求するコマンドを送信するコマンド送信部と、
前記端末通信部を介して、前記管理サーバから前記周辺受信状況を受信する周辺状況受信部と、
該周辺受信状況に基づき、前記無線端末装置の周辺領域内の各位置に関わる最適な無線方式の選択を案内する無線案内情報を生成する無線案内情報生成部と、
前記無線案内情報を前記表示装置の前記画面上に表示する表示制御部と、
前記画面上に表示された前記無線案内情報から使用する無線方式を選択する指定部と、
前記選択された無線方式を使用するように、無線方式を切替える切替部とを備え、
前記管理サーバは、
前記無線端末装置と通信可能なサーバ通信部と、
前記無線端末装置に関わる現在位置及び無線方式単位の受信品質を、前記無線端末装置から前記サーバ通信部を介して順次受信して品質を判断して収集する受信品質収集部と、
前記受信品質収集部にて収集した前記無線端末装置に関わる現在位置及び無線方式単位の受信品質に基づき、前記無線端末装置の位置毎の受信品質を無線方式単位に記録・管理する受信品質管理部と、
前記無線端末装置から前記サーバ通信部を介して、所定の要求コマンドを受信すると、この無線端末装置の現在位置を含む周辺領域及び、この周辺領域内の各位置に対応する無線方式単位の受信品質を前記受信品質管理部から読み出し、前記サーバ通信部を介して、前記読み出した前記無線端末装置の周辺領域及び無線方式単位の受信品質を含む周辺受信状況を、前記所定要求コマンドを送信した無線端末装置側に送信する周辺受信状況提供部とを備え、
前記無線端末装置が受信品質のよい無線方式を選択可能なことを特徴とする無線通信システム。
【請求項２】
表示装置付きで、複数のアクセスポイントを含むネットワークを介して通信可能で、複数の異なる無線方式の内、１または複数の無線方式を選択可能な無線端末装置であって、
管理サーバと通信可能な端末通信部と、
該無線端末装置毎に現在位置及び、この現在位置に関わる無線方式単位の最寄りのアクセスポイントから当該無線端末装置への情報を受信して受信品質を取得する受信品質取得部と、
前記無線端末装置に関わる現在位置及び無線方式単位の受信品質を、前記端末通信部を介して、順次前記管理サーバに通知する受信品質通知部と、
前記端末通信部を介して前記管理サーバに周辺受信状況を要求するコマンドを送信するコマンド送信部と、
前記端末通信部を介して、前記管理サーバから前記周辺受信状況を受信する周辺状況受信部と、
該周辺受信状況に基づき、前記無線端末装置の周辺領域内の各位置に関わる最適な無線方式の選択を案内する無線案内情報を生成する無線案内情報生成部と、
前記無線案内情報を前記表示装置の前記画面上に表示する表示制御部と、
前記画面上に表示された前記無線案内情報から使用する無線方式を選択する指定部と、
前記選択された無線方式を使用するように、無線方式を切替える切替部と
を備えたことを特徴とする無線端末装置。
【請求項３】
前記無線案内情報生成部は、
前記管理サーバ側から前記周辺受信状況を受信すると、この周辺受信状況内の前記周辺領域の各位置に関わる、前記無線方式単位の受信品質内の受信レベル平均値に対応した無線方式毎の予測データレートに基づき、前記周辺領域内の各位置に関わる最適な無線方式の選択を案内する無線案内情報を生成することを特徴とする請求項２記載の無線端末装置。
【請求項４】
前記無線案内情報生成部は、
前記管理サーバ側から前記周辺受信状況を受信すると、この周辺受信状況内の前記周辺領域の各位置に関わる、前記無線方式単位の受信品質内の受信レベル平均値に対応した無線方式毎の予測データレート及び無線方式毎のデータ従量単価に基づき、前記周辺領域内の各位置に関わる最適な無線方式の選択を案内する無線案内情報を生成することを特徴とする請求項３記載の無線端末装置。
【請求項５】
前記受信品質管理部は、
前記受信品質取得部にて取得した前記無線端末装置に関わる現在位置及び無線方式単位の受信品質を前記無線端末装置から順次収集すると、この現在位置に対応する管理中の受信品質に関わる最終更新時刻に基づき、これら収集した現在位置に対応する無線方式単位の受信品質を、この現在位置に対応する管理中の無線方式単位の受信品質に更新することを特徴とする請求項２〜４の何れか一に記載の無線端末装置。
【請求項６】
前記受信品質取得部にて取得する前記無線端末装置の現在位置に関わる無線方式単位の受信品質は、この無線端末装置にて現在使用中の無線方式内の各無線チャネルに関わる受信品質を含むことを特徴とする請求項２〜５の何れか一に記載の無線端末装置。
【請求項７】
表示装置付きで、複数の異なる無線方式の内、一の無線方式を選択して無線通信する１または複数の無線端末装置に対して、前記無線方式毎に複数のアクセスポイントを含むネットワークを介して通信可能な管理サーバであって、
前記管理サーバは、
前記無線端末装置と通信可能なサーバ通信部と、
前記無線端末装置に関わる現在位置及び無線方式単位の受信品質を、前記無線端末装置から前記サーバ通信部を介して順次受信して品質を判断して収集する受信品質収集部と、
前記受信品質収集部にて収集した前記無線端末装置に関わる現在位置及び無線方式単位の受信品質に基づき、前記無線端末装置の位置毎の受信品質を無線方式単位に記録・管理する受信品質管理部と、
前記無線端末装置から前記サーバ通信部を介して、所定の要求コマンドを受信すると、この無線端末装置の現在位置を含む周辺領域及び、この周辺領域内の各位置に対応する無線方式単位の受信品質を前記受信品質管理部から読み出し、前記サーバ通信部を介して、前記読み出した前記無線端末装置の周辺領域及び無線方式単位の受信品質を含む周辺受信状況を、前記所定要求コマンドを送信した前記無線端末装置側に送信する周辺受信状況提供部とを備え、
前記無線端末装置側に無線方式を選択可能な情報を提供することを特徴とする管理サーバ。
【請求項８】
表示装置付きで、複数の異なる無線方式の内、一の無線方式を選択して無線通信する１または複数の無線端末装置と、前記無線方式毎に複数のアクセスポイントを含むネットワークを介して前記各無線端末装置と通信可能な管理サーバとが実行する無線案内プログラムであって、
前記無線端末装置は、
前記管理サーバと通信可能な端末通信手順と、
該無線端末装置毎に現在位置及び、この現在位置に関わる無線方式単位の最寄りのアクセスポイントから当該無線端末装置への情報を受信して受信品質を取得する受信品質取得手順と、
前記無線端末装置に関わる現在位置及び無線方式単位の受信品質を、前記端末通信手順を介して、順次前記管理サーバに通知する受信品質通知手順と、
前記端末通信手順を介して前記管理サーバに周辺受信状況を要求するコマンドを送信するコマンド送信手順と、
前記端末通信手順を介して、前記管理サーバから前記周辺受信状況を受信する周辺状況受信手順と、
該周辺受信状況に基づき、前記無線端末装置の周辺領域内の各位置に関わる最適な無線方式の選択を案内する無線案内情報を生成する無線案内情報生成手順と、
前記無線案内情報を前記表示装置の前記画面上に表示する表示制御手順と、
前記画面上に表示された前記無線案内情報から使用する無線方式を選択する指定手順と、
前記選択された無線方式を使用するように、無線方式を切替える切替手順とを含むプログラムを実行させると共に、
前記管理サーバは、
前記無線端末装置と通信可能なサーバ通信手順と、
前記無線端末装置に関わる現在位置及び無線方式単位の受信品質を、前記無線端末装置から前記サーバ通信手順を介して順次受信して品質を判断して収集する受信品質収集手順と、
前記受信品質収集手順にて収集した前記無線端末装置に関わる現在位置及び無線方式単位の受信品質に基づき、前記無線端末装置の位置毎の受信品質を無線方式単位に記録・管理する受信品質管理手順と、
前記無線端末装置から前記サーバ通信手順を介して、所定の要求コマンドを受信すると、この無線端末装置の現在位置を含む周辺領域及び、この周辺領域内の各位置に対応する無線方式単位の受信品質を前記受信品質管理手順から読み出し、前記サーバ通信手順を介して、前記読み出した前記無線端末装置の周辺領域及び無線方式単位の受信品質を含む周辺受信状況を、前記所定要求コマンドを送信した無線端末装置側に送信する周辺受信状況提供手順とを含むプログラムを実行させることで、
前記無線端末装置が受信品質のよい無線方式を選択可能にしたことを特徴とする無線案内プログラム。
【請求項９】
表示装置付きで、複数の異なる無線方式の内、一の無線方式を選択して無線通信する１または複数の無線端末装置と、前記無線方式毎に複数のアクセスポイントを含むネットワークを介して前記各無線端末装置と通信可能な管理サーバとを有する無線通信システムの無線案内方法であって、
前記管理サーバと通信可能な前記無線端末装置側の端末通信ステップと、
該無線端末装置毎に現在位置及び、この現在位置に関わる無線方式単位の最寄りのアクセスポイントから当該無線端末装置への情報を受信して受信品質を取得する前記無線端末装置側の受信品質取得ステップと、
前記無線端末装置に関わる現在位置及び無線方式単位の受信品質を、前記端末通信ステップを介して、順次前記管理サーバに通知する前記無線端末装置側の受信品質通知ステップと、
前記端末通信ステップを介して前記管理サーバに周辺受信状況を要求するコマンドを送信する前記無線端末装置側のコマンド送信ステップと、
前記端末通信ステップを介して、前記管理サーバから前記周辺受信状況を受信する前記無線端末装置側の周辺状況受信ステップと、
該周辺受信状況に基づき、前記無線端末装置の周辺領域内の各位置に関わる最適な無線方式の選択を案内する無線案内情報を生成する前記無線端末装置側の無線案内情報生成ステップと、
前記無線案内情報を前記表示装置の前記画面上に表示する前記無線端末装置側の表示制御ステップと、
前記画面上に表示された前記無線案内情報から使用する無線方式を選択する前記無線端末装置側の指定ステップと、
前記選択された無線方式を使用するように、無線方式を切替える前記無線端末装置側の切替ステップと、
前記無線端末装置と通信可能な前記管理サーバ側のサーバ通信ステップと、
前記無線端末装置に関わる現在位置及び無線方式単位の受信品質を、前記無線端末装置から前記サーバ通信ステップを介して順次受信して品質を判断して収集する前記管理サーバ側の受信品質収集ステップと、
前記受信品質収集ステップにて収集した前記無線端末装置に関わる現在位置及び無線方式単位の受信品質に基づき、前記無線端末装置の位置毎の受信品質を無線方式単位に記録・管理する前記管理サーバ側の受信品質管理ステップと、
前記無線端末装置から前記サーバ通信ステップを介して、所定の要求コマンドを受信すると、この無線端末装置の現在位置を含む周辺領域及び、この周辺領域内の各位置に対応する無線方式単位の受信品質を前記受信品質管理ステップから読み出し、前記サーバ通信ステップを介して、前記読み出した前記無線端末装置の周辺領域及び無線方式単位の受信品質を含む周辺受信状況を、前記所定要求コマンドを送信した無線端末装置側に送信する前記管理サーバ側の周辺受信状況提供ステップとを含み、
前記無線端末装置が受信品質のよい無線方式を選択可能にしたことを特徴とする無線案内方法。
【請求項１０】
表示装置付きで、複数の異なる無線方式の内、一の無線方式を選択して無線通信する１または複数の無線端末装置と、前記無線方式毎に複数のアクセスポイントを含むネットワークを介して前記各無線端末装置と通信可能な管理サーバとを有する無線通信システムであって、
前記無線端末装置は、
前記管理サーバと通信可能な端末通信部と、
該無線端末装置毎に現在位置及び、この現在位置に関わる無線方式単位の最寄りのアクセスポイントから当該無線端末装置への情報を受信して受信品質を取得する受信品質取得部と、
前記無線端末装置に関わる現在位置及び無線方式単位の受信品質を、前記端末通信部を介して、順次前記管理サーバに通知する受信品質通知部と、
前記端末通信部を介して前記管理サーバに、前記無線端末装置の周辺領域内の各位置に関わる最適な無線方式の選択を案内する無線案内情報を要求するコマンドを送信するコマンド送信部と、
前記端末通信部を介して、前記管理サーバから前記無線案内情報を受信する無線案内情報受信部と、
前記無線案内情報受信部にて受信した前記無線案内情報を前記表示装置の前記画面上に表示する表示制御部と、
前記画面上に表示された前記無線案内情報から使用する無線方式を選択する指定部と、
前記選択された無線方式を使用するように、無線方式を切替える切替部とを備え、
前記管理サーバは、
前記無線端末装置と通信可能なサーバ通信部と、
前記無線端末装置に関わる現在位置及び無線方式単位の受信品質を、前記無線端末装置から前記サーバ通信部を介して順次受信して品質を判断して収集する受信品質収集部と、
前記受信品質収集部にて収集した前記無線端末装置に関わる現在位置及び無線方式単位の受信品質に基づき、前記無線端末装置の位置毎の受信品質を無線方式単位に記録・管理する受信品質管理部と、
前記無線端末装置から前記サーバ通信部を介して、所定の要求コマンドを受信すると、この無線端末装置の現在位置を含む周辺領域及び、この周辺領域内の各位置に対応する無線方式単位の受信品質を前記受信品質管理部から読み出し、この読み出した前記無線端末装置の周辺領域及び無線方式単位の受信品質を含む周辺受信状況に基づき、前記無線案内情報を生成する無線案内情報生成部と、
前記サーバ通信部を介して、前記無線案内情報生成部にて生成した前記無線案内情報を、前記所定要求コマンドを送信した無線端末装置側に送信する無線案内情報提供部とを備え、
前記無線端末装置が受信品質のよい無線方式を選択可能にしたことを特徴とする無線通信システム。
【発明の詳細な説明】
【技術分野】
【０００１】
本発明は、複数の異なる無線方式の内、一の無線方式を選択可能にして無線通信を可能にする無線端末装置と、この無線端末装置を管理する管理サーバとを有する無線通信システム、無線端末装置、管理サーバ、無線案内プログラム及び無線案内方法に関する。
【背景技術】
【０００２】
近年、無線通信システムの多様化や複数化、更には、携帯電話の普及等に伴い、主に使用可能な周波数帯域等の無線リソースが不足し、限りある無線リソースを有効活用する方法として、コグニティブ無線方式の研究開発が盛んに行われている。
【０００３】
コグニティブ無線方式とは、無線端末や無線基地局等が周囲の電波状況をチェックし、その電波状況に応じて、ユーザに意識させることなく、周波数チャネルや無線方式を切替通信する方式である。そこで、この方式を利用した場合、無線端末では、自分が利用している無線方式内のエリアが混み合って通信品質が劣化した場合や、現在条件よりも良好な無線方式内のエリアが見つけた場合でも、自動的により良い無線方式へ切替できるというものである。
【０００４】
従って、コグニティブ無線方式では、携帯電話の電波を使用した通信からＷｉＭＡＸ（Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ ）や無線ＬＡＮ（Ｌｏｃａｌ  Ａｒｅａ  Ｎｅｔｗｏｒｋ） という異なる無線方式でも切替を実現することができる。
【０００５】
尚、コグニティブ無線方式では、大きく分けて２つの方式に分類することができる。
【０００６】
まず、第１の方式では、ＩＥＥＥ（Ｔｈｅ Ｉｎｓｔｉｔｕｔｅ ｏｆ Ｅｌｅｃｔｒｉｃａｌ ａｎｄ Ｅｌｅｃｔｒｏｎｉｃｓ Ｅｎｇｉｎｅｅｒｓ， Ｉｎｃ．） １１．２２ＷＧ（Ｗｏｒｋｉｎｇ  Ｇｒｏｕｐ）で検討されているような、既にライセンス化された無線通信方式(テレビジョン放送、衛星通信、航空無線)の空き無線帯域や空き時間を利用し、既にライセンス化された無線方式への干渉影響を少なくし、既にライセンス化された無線方式と同一帯域を有効活用する方法である。
【０００７】
また、第２の方式では、ＩＥＥＥ  １６ｅのＷｉＭＡＸ、ＩＥＥＥ  １１．ａの無線ＬＡＮ等の複数物理層機能を無線端末側で保有し、受信した無線情報(干渉レベル、受信電力平均値、使用中無線チャネル)に基づき、接続先の無線方式を選択決定する方法である。
【０００８】
尚、本願発明の無線通信システムでは、第２の方式のコグニティブ無線方式を採用した無線通信システムに関するものである。
【０００９】
このコグニティブ無線方式の無線通信システムでは、空き無線チャネル選択制御機能に加え、地理情報、時間情報やアプリケーション情報に基づき、無線パラメータの最適化制御を組み合わせることで、無線チャネル選択後の通信品質を向上させることができる。
【００１０】
【特許文献１】特開２００７−８８９４０号公報
【特許文献２】特表２００５−５１２４２３号公報
【発明の開示】
【発明が解決しようとする課題】
【００１１】
しかしながら、上記従来のコグニティブ無線方式の無線通信システムでは、無線端末側の自立的な制御に基づき、無線チャネル選択後の受信品質を向上させることができるが、無線端末の現在位置を含む周辺領域内に良好な広帯域の別の無線方式の無線チャネルがあるにも関わらず、無線端末のユーザ側では、周辺領域内に良好な受信品質の別の無線方式の存在、すなわち、周辺領域内の無線状態を認識することができない。
【００１２】
本発明は上記点に鑑みてなされたものであり、その目的とするところは、無線方式選択前段階で現在位置を含む周辺領域内の各無線方式の無線状態を認識し、周辺領域内での最適な無線方式への選択を可能にした無線通信システム、無線端末装置、管理サーバ、無線案内プログラム及び無線案内方法を提供することにある。
【課題を解決するための手段】
【００１３】
開示システムは、表示装置付きで、複数の異なる無線方式の内、一の無線方式を選択して無線通信する１または複数の無線端末装置と、前記無線方式毎に複数のアクセスポイントを含むネットワークを介して前記各無線端末装置と通信可能な管理サーバとを有する無線通信システムであって、前記無線端末装置は、前記管理サーバと通信可能な端末通信部と、該無線端末装置毎に現在位置及び、この現在位置に関わる無線方式単位の最寄りのアクセスポイントから当該無線端末装置への情報を受信して受信品質を取得する受信品質取得部と、前記無線端末装置に関わる現在位置及び無線方式単位の受信品質を、前記端末通信部を介して、順次前記管理サーバに通知する受信品質通知部と、前記端末通信部を介して前記管理サーバに周辺受信状況を要求するコマンドを送信するコマンド送信部と、前記端末通信部を介して、前記管理サーバから前記周辺受信状況を受信する周辺状況受信部と、該周辺受信状況に基づき、前記無線端末装置の周辺領域内の各位置に関わる最適な無線方式の選択を案内する無線案内情報を生成する無線案内情報生成部と、前記無線案内情報を前記表示装置の前記画面上に表示する表示制御部と、前記画面上に表示された前記無線案内情報から使用する無線方式を選択する指定部と、前記選択された無線方式を使用するように、無線方式を切替える切替部とを備え、前記管理サーバは、前記無線端末装置と通信可能なサーバ通信部と、前記無線端末装置に関わる現在位置及び無線方式単位の受信品質を、前記無線端末装置から前記サーバ通信部を介して順次受信して品質を判断して収集する受信品質収集部と、前記受信品質収集部にて収集した前記無線端末装置に関わる現在位置及び無線方式単位の受信品質に基づき、前記無線端末装置の位置毎の受信品質を無線方式単位に記録・管理する受信品質管理部と、前記無線端末装置から前記サーバ通信部を介して、所定の要求コマンドを受信すると、この無線端末装置の現在位置を含む周辺領域及び、この周辺領域内の各位置に対応する無線方式単位の受信品質を前記受信品質管理部から読み出し、前記サーバ通信部を介して、前記読み出した前記無線端末装置の周辺領域及び無線方式単位の受信品質を含む周辺受信状況を、前記所定要求コマンドを送信した無線端末装置側に送信する周辺受信状況提供部とを備え、前記無線端末装置が受信品質のよい無線方式を選択可能なことを要件とする。
【００１４】
また、開示装置は、表示装置付きで、複数のアクセスポイントを含むネットワークを介して通信可能で、複数の異なる無線方式の内、１または複数の無線方式を選択可能な無線端末装置であって、管理サーバと通信可能な端末通信部と、該無線端末装置毎に現在位置及び、この現在位置に関わる無線方式単位の最寄りのアクセスポイントから当該無線端末装置への情報を受信して受信品質を取得する受信品質取得部と、前記無線端末装置に関わる現在位置及び無線方式単位の受信品質を、前記端末通信部を介して、順次前記管理サーバに通知する受信品質通知部と、前記端末通信部を介して前記管理サーバに周辺受信状況を要求するコマンドを送信するコマンド送信部と、前記端末通信部を介して、前記管理サーバから前記周辺受信状況を受信する周辺状況受信部と、該周辺受信状況に基づき、前記無線端末装置の周辺領域内の各位置に関わる最適な無線方式の選択を案内する無線案内情報を生成する無線案内情報生成部と、前記無線案内情報を前記表示装置の前記画面上に表示する表示制御部と、前記画面上に表示された前記無線案内情報から使用する無線方式を選択する指定部と、前記選択された無線方式を使用するように、無線方式を切替える切替部とを備えたことを要件とする。
【００１５】
また、開示装置は、表示装置付きで、複数の異なる無線方式の内、一の無線方式を選択して無線通信する１または複数の無線端末装置に対して、前記無線方式毎に複数のアクセスポイントを含むネットワークを介して通信可能な管理サーバであって、前記管理サーバは、前記無線端末装置と通信可能なサーバ通信部と、前記無線端末装置に関わる現在位置及び無線方式単位の受信品質を、前記無線端末装置から前記サーバ通信部を介して順次受信して品質を判断して収集する受信品質収集部と、前記受信品質収集部にて収集した前記無線端末装置に関わる現在位置及び無線方式単位の受信品質に基づき、前記無線端末装置の位置毎の受信品質を無線方式単位に記録・管理する受信品質管理部と、前記無線端末装置から前記サーバ通信部を介して、所定の要求コマンドを受信すると、この無線端末装置の現在位置を含む周辺領域及び、この周辺領域内の各位置に対応する無線方式単位の受信品質を前記受信品質管理部から読み出し、前記サーバ通信部を介して、前記読み出した前記無線端末装置の周辺領域及び無線方式単位の受信品質を含む周辺受信状況を、前記所定要求コマンドを送信した前記無線端末装置側に送信する周辺受信状況提供部とを備え、前記無線端末装置側に無線方式を選択可能な情報を提供することを要件とする。
【００１６】
また、開示プログラムは、表示装置付きで、複数の異なる無線方式の内、一の無線方式を選択して無線通信する１または複数の無線端末装置と、前記無線方式毎に複数のアクセスポイントを含むネットワークを介して前記各無線端末装置と通信可能な管理サーバとが実行する無線案内プログラムであって、前記無線端末装置は、前記管理サーバと通信可能な端末通信手順と、該無線端末装置毎に現在位置及び、この現在位置に関わる無線方式単位の最寄りのアクセスポイントから当該無線端末装置への情報を受信して受信品質を取得する受信品質取得手順と、前記無線端末装置に関わる現在位置及び無線方式単位の受信品質を、前記端末通信手順を介して、順次前記管理サーバに通知する受信品質通知手順と、前記端末通信手順を介して前記管理サーバに周辺受信状況を要求するコマンドを送信するコマンド送信手順と、前記端末通信手順を介して、前記管理サーバから前記周辺受信状況を受信する周辺状況受信手順と、該周辺受信状況に基づき、前記無線端末装置の周辺領域内の各位置に関わる最適な無線方式の選択を案内する無線案内情報を生成する無線案内情報生成手順と、前記無線案内情報を前記表示装置の前記画面上に表示する表示制御手順と、前記画面上に表示された前記無線案内情報から使用する無線方式を選択する指定手順と、前記選択された無線方式を使用するように、無線方式を切替える切替手順とを含むプログラムを実行させると共に、前記管理サーバは、前記無線端末装置と通信可能なサーバ通信手順と、前記無線端末装置に関わる現在位置及び無線方式単位の受信品質を、前記無線端末装置から前記サーバ通信手順を介して順次受信して品質を判断して収集する受信品質収集手順と、前記受信品質収集手順にて収集した前記無線端末装置に関わる現在位置及び無線方式単位の受信品質に基づき、前記無線端末装置の位置毎の受信品質を無線方式単位に記録・管理する受信品質管理手順と、前記無線端末装置から前記サーバ通信手順を介して、所定の要求コマンドを受信すると、この無線端末装置の現在位置を含む周辺領域及び、この周辺領域内の各位置に対応する無線方式単位の受信品質を前記受信品質管理手順から読み出し、前記サーバ通信手順を介して、前記読み出した前記無線端末装置の周辺領域及び無線方式単位の受信品質を含む周辺受信状況を、前記所定要求コマンドを送信した無線端末装置側に送信する周辺受信状況提供手順とを含むプログラムを実行させることで、前記無線端末装置が受信品質のよい無線方式を選択可能にしたことを要件とする。
【００１７】
また、開示方法は、表示装置付きで、複数の異なる無線方式の内、一の無線方式を選択して無線通信する１または複数の無線端末装置と、前記無線方式毎に複数のアクセスポイントを含むネットワークを介して前記各無線端末装置と通信可能な管理サーバとを有する無線通信システムの無線案内方法であって、前記管理サーバと通信可能な前記無線端末装置側の端末通信ステップと、該無線端末装置毎に現在位置及び、この現在位置に関わる無線方式単位の最寄りのアクセスポイントから当該無線端末装置への情報を受信して受信品質を取得する前記無線端末装置側の受信品質取得ステップと、前記無線端末装置に関わる現在位置及び無線方式単位の受信品質を、前記端末通信ステップを介して、順次前記管理サーバに通知する前記無線端末装置側の受信品質通知ステップと、前記端末通信ステップを介して前記管理サーバに周辺受信状況を要求するコマンドを送信する前記無線端末装置側のコマンド送信ステップと、前記端末通信ステップを介して、前記管理サーバから前記周辺受信状況を受信する前記無線端末装置側の周辺状況受信ステップと、該周辺受信状況に基づき、前記無線端末装置の周辺領域内の各位置に関わる最適な無線方式の選択を案内する無線案内情報を生成する前記無線端末装置側の無線案内情報生成ステップと、前記無線案内情報を前記表示装置の前記画面上に表示する前記無線端末装置側の表示制御ステップと、前記画面上に表示された前記無線案内情報から使用する無線方式を選択する前記無線端末装置側の指定ステップと、前記選択された無線方式を使用するように、無線方式を切替える前記無線端末装置側の切替ステップと、前記無線端末装置と通信可能な前記管理サーバ側のサーバ通信ステップと、前記無線端末装置に関わる現在位置及び無線方式単位の受信品質を、前記無線端末装置から前記サーバ通信ステップを介して順次受信して品質を判断して収集する前記管理サーバ側の受信品質収集ステップと、前記受信品質収集ステップにて収集した前記無線端末装置に関わる現在位置及び無線方式単位の受信品質に基づき、前記無線端末装置の位置毎の受信品質を無線方式単位に記録・管理する前記管理サーバ側の受信品質管理ステップと、前記無線端末装置から前記サーバ通信ステップを介して、所定の要求コマンドを受信すると、この無線端末装置の現在位置を含む周辺領域及び、この周辺領域内の各位置に対応する無線方式単位の受信品質を前記受信品質管理ステップから読み出し、前記サーバ通信ステップを介して、前記読み出した前記無線端末装置の周辺領域及び無線方式単位の受信品質を含む周辺受信状況を、前記所定要求コマンドを送信した無線端末装置側に送信する前記管理サーバ側の周辺受信状況提供ステップとを含み、前記無線端末装置が受信品質のよい無線方式を選択可能にしたことを要件とする。
【００１８】
また、開示システムは、表示装置付きで、複数の異なる無線方式の内、一の無線方式を選択して無線通信する１または複数の無線端末装置と、前記無線方式毎に複数のアクセスポイントを含むネットワークを介して前記各無線端末装置と通信可能な管理サーバとを有する無線通信システムであって、前記無線端末装置は、前記管理サーバと通信可能な端末通信部と、該無線端末装置毎に現在位置及び、この現在位置に関わる無線方式単位の最寄りのアクセスポイントから当該無線端末装置への情報を受信して受信品質を取得する受信品質取得部と、前記無線端末装置に関わる現在位置及び無線方式単位の受信品質を、前記端末通信部を介して、順次前記管理サーバに通知する受信品質通知部と、前記端末通信部を介して前記管理サーバに、前記無線端末装置の周辺領域内の各位置に関わる最適な無線方式の選択を案内する無線案内情報を要求するコマンドを送信するコマンド送信部と、前記端末通信部を介して、前記管理サーバから前記無線案内情報を受信する無線案内情報受信部と、前記無線案内情報受信部にて受信した前記無線案内情報を前記表示装置の前記画面上に表示する表示制御部と、前記画面上に表示された前記無線案内情報から使用する無線方式を選択する指定部と、前記選択された無線方式を使用するように、無線方式を切替える切替部とを備え、前記管理サーバは、前記無線端末装置と通信可能なサーバ通信部と、前記無線端末装置に関わる現在位置及び無線方式単位の受信品質を、前記無線端末装置から前記サーバ通信部を介して順次受信して品質を判断して収集する受信品質収集部と、前記受信品質収集部にて収集した前記無線端末装置に関わる現在位置及び無線方式単位の受信品質に基づき、前記無線端末装置の位置毎の受信品質を無線方式単位に記録・管理する受信品質管理部と、前記無線端末装置から前記サーバ通信部を介して、所定の要求コマンドを受信すると、この無線端末装置の現在位置を含む周辺領域及び、この周辺領域内の各位置に対応する無線方式単位の受信品質を前記受信品質管理部から読み出し、この読み出した前記無線端末装置の周辺領域及び無線方式単位の受信品質を含む周辺受信状況に基づき、前記無線案内情報を生成する無線案内情報生成部と、前記サーバ通信部を介して、前記無線案内情報生成部にて生成した前記無線案内情報を、前記所定要求コマンドを送信した無線端末装置側に送信する無線案内情報提供部とを備え、前記無線端末装置が受信品質のよい無線方式を選択可能にしたことを要件とする。
【発明の効果】
【００１９】
開示システム、開示装置、開示プログラム及び開示方法では、無線端末装置の現在位置及び無線方式単位の受信品質を無線端末装置側から順次収集し、無線端末装置に関わる現在位置及び無線方式単位の受信品質に基づき、位置毎の受信品質を無線方式単位で管理サーバ側で管理すると共に、前記無線端末装置からの所定要求コマンドを受信すると、この無線端末装置の現在位置を含む周辺領域及び、この周辺領域内の各位置に対応する無線方式単位の受信品質を受信品質管理部から読み出し、これら読み出した周辺領域及び無線方式単位の受信品質を含む周辺受信状況を管理サーバ側から無線端末装置に提供し、無線端末装置側では、周辺受信状況に基づき、周辺受信状況内の各位置に関わる最適な無線方式の選択を案内する無線案内情報を生成し、この無線案内情報を画面上に画面表示する。
【００２０】
その結果、無線端末装置側のユーザは、表示画面上の無線案内情報に基づき、現在位置を含む周辺領域内の各無線方式の無線状態、例えば無線チャネル・無線方式等の空間的な使用状況や干渉状況等を含め、広帯域の最適な無線方式や無線チャネルの選択を認識することができるという効果を奏する。
【００２１】
更に、管理サーバ側では、各無線端末装置から現在位置毎の無線方式単位の受信品質を順次収集することで、無線方式内の各位置の受信品質を管理し、無線端末装置に対して最適な無線方式の選択案内を促す無線案内情報を生成するのに必要な周辺受信状況を提供することができるという効果を奏する。
【００２２】
更に、無線端末装置側のユーザは、表示画面上の無線案内情報に基づき、例えば、負荷の低い無線方式を選択すべく移動することが促されることになるため、無線方式全体のネットワークの負荷が軽減され、時間軸や周波数軸の空間的な周波数チャネルの利用効率の向上を図ることができるという効果を奏する。
【００２３】
また、他の開示システムでは、管理サーバ側で、各無線端末装置から現在位置毎の無線方式単位の受信品質を順次収集することで、無線方式内の各位置の受信品質を管理し、最適な無線方式の選択案内を促す無線案内情報を生成し、この生成した無線案内情報を無線端末装置側に提供するようにしたので、無線案内情報を生成する無線端末装置側の負担を大幅に軽減することができるという効果を奏する。
【発明を実施するための最良の形態】
【００２４】
以下、図面に基づき本発明の無線通信システム、無線端末装置、管理サーバ、無線案内プログラム及び無線案内方法に関わる実施例について詳細に説明する。
【００２５】
まず、最初に本実施例の概要を説明するとすれば、その概要は、無線端末装置の現在位置及び無線方式単位の受信品質を無線端末装置側から順次収集し、無線端末装置に関わる現在位置及び無線方式単位の受信品質に基づき、各無線方式内の位置毎に受信品質を管理サーバ側で管理する。
【００２６】
更に、管理サーバ側では、前記無線端末装置からの所定要求コマンドを受信すると、この無線端末装置の現在位置を含む周辺領域及び、この周辺領域内の各位置に対応する無線方式単位の受信品質を受信品質管理部から読み出し、これら読み出した無線端末装置の周辺領域及び無線方式単位の受信品質を含む周辺受信状況を所定要求コマンドの無線端末装置に提供する。
【００２７】
そして、無線端末装置側では、周辺受信状況を受信すると、この周辺受信状況に基づき周辺領域内の各位置に関わる最適な無線方式の選択を案内する無線案内情報を生成し、この無線案内情報を表示画面上に表示する。
【００２８】
その結果、無線端末装置側のユーザは、表示画面上の無線案内情報に基づき、現在位置を含む周辺領域内の各無線方式の無線状態、例えば無線チャネル・無線方式等の空間的な使用状況や干渉状況等を含め、広帯域の最適な無線方式や無線チャネルの選択を認識することができる。
【００２９】
更に、管理サーバ側では、各無線端末装置から現在位置毎の無線方式単位の受信品質を順次収集することで、無線方式内の各位置の受信品質を管理し、無線端末装置に対して最適な無線方式の選択案内を促す無線案内情報を生成するのに必要な周辺受信状況を提供することができる。
【００３０】
更に、無線端末装置側のユーザは、表示画面上の無線案内情報に基づき、負荷の低い無線方式を選択すべく移動することが促されることになるため、無線方式全体のネットワークの負荷が軽減され、時間軸や周波数軸の空間的な周波数チャネルの利用効率の向上を図ることができる。
【実施例】
【００３１】
図１は、本実施例のコグニティブ無線システム全体の概略構成を示す説明図である。
【００３２】
図１に示すコグニティブ無線システム１は、複数の異なる無線方式の無線エリア２と、各無線エリア２内のアクセスポイント３同士を接続して無線方式間を接続する公衆網４と、公衆網４と接続し、アクセスポイント３に無線収容する無線端末５を管理する管理サーバ６とを有している。
【００３３】
尚、図１に示すコグニティブ無線システム１では、例えば、“Ａ”及び“Ｂ”の２種類の無線方式の無線エリア２を示し、“Ａ”の無線方式内のアクセスポイント３をＡＰ−Ａ、“Ｂ”の無線方式内のアクセスポイント３をＡＰ−Ｂとする。
【００３４】
図２は、無線端末５内部の概略構成を示すブロック図である。
【００３５】
図２に示す無線端末５は、異なる無線方式での通信を選択可能にしたコグニティブ無線端末に相当し、各無線方式内のアクセスポイント３経由で無線信号を送受信するアンテナ１１と、アンテナ１１経由で無線方式Ａとの無線通信を確立する無線方式Ａ用通信部１２Ａと、アンテナ１１経由で無線方式Ｂとの無線通信を確立する無線方式Ｂ用通信部１２Ｂとを有している。
【００３６】
無線端末５は、これら無線方式Ａ用通信部１２Ａ及び無線方式Ｂ用通信部１２Ｂを切替選択する無線方式切替選択部１３と、この無線端末５自体の現在位置を取得するグローバルポジショニングシステム（以下、単にＧＰＳと称する）部１４と、様々な情報を入力する入力部１５と、様々な情報を表示する表示部１６とを有している。
【００３７】
ＧＰＳ部１４は、人工衛星を利用して経度情報及び緯度情報に基づき無線端末５自体の現在位置を取得するものである。また、無線端末５は、アクセスポイント３からの報知情報からでも、無線端末５自体の現在位置（経度情報及び緯度情報）を取得することができるものである。
【００３８】
また、無線端末５は、無線端末５全体を制御すると共に、その内部のアプリケーションを実行する制御部１７と、現在使用中の無線方式内の全無線チャネルのアクセスポイント３との受信電力を計測し、計測結果の平均値を受信電力平均値として取得する受信電力平均値取得部１８とを有している。
【００３９】
図３は、無線方式Ａ及び無線方式Ｂに関わる受信電力と周波数との関係を端的に示す説明図である。
【００４０】
無線方式Ａの受信平均電力値ＰＡは、図３に示すように、無線方式Ａの占有帯域をｆＡ、占有帯域ｆＡ内の最小周波数〜最大周波数までの無線チャネルをｎとした場合、ＰＡ＝（ΣＰｎ）／ｆＡで算出するものである。
【００４１】
また、無線方式Ｂの受信平均電力値ＰＢは、図３に示すように、無線方式Ｂの占有帯域をｆＢ、占有帯域ｆＢ内の最小周波数〜最大周波数までの無線チャネルをｎとした場合、ＰＢ＝（ΣＰｎ）／ｆＢで算出するものである。
【００４２】
制御部１７は、受信電力平均値取得部１８にて取得した現在位置での受信電力平均値を保持し、この保持した無線端末５自体の現在位置及び現在位置での受信電力平均値を含む現在位置受信品質情報をアクセスポイント３及び公衆網４経由で管理サーバ６に通知する受信品質通知部２１を有している。
【００４３】
更に、制御部１７は、後述する無線案内情報を生成する無線案内情報生成部２２と、この無線案内情報生成部２２にて生成した無線案内情報を表示部１６に画面表示する表示制御部２３と、この無線案内情報の生成に必要な情報（周辺受信状況）を要求する周辺受信状況要求を管理サーバ６に通知する要求通知部２４とを有している。
【００４４】
図４は、現在位置受信品質情報内部のデータ構成を端的に示す説明図である。
【００４５】
図４に示す現在位置受信品質情報３０は、無線端末５側の受信品質通知部２１を通じて管理サーバ６に通知する情報であって、無線端末５側の現在位置を示す経度情報３１及び緯度情報３２と、無線方式Ａ又は無線方式Ｂの使用中の各無線チャネルの受信電力平均値３３と、応答要求フラグ３４とを有している。
【００４６】
応答要求フラグ３４は、現在位置受信品質情報３０の管理サーバ６への通知に応じて管理サーバ６側に対して周辺受信状況を要求する場合にはＯＮ設定し、現在位置受信品質情報３０を通知するだけで、管理サーバ６側に対して周辺受信状況の要求を求めない場合にはＯＦＦ設定するものである。
【００４７】
図５は、管理サーバ６内部の概略構成を示すブロック図である。
【００４８】
図５に示す管理サーバ６は、公衆網４との通信インタフェースを司る通信インタフェース４１と、管理サーバ６全体を制御するサーバ側制御部４２とを有している。
【００４９】
サーバ側制御部４２は、コグニティブ無線システム１内の各無線端末５から現在位置受信品質情報３０を順次受信すると、この現在位置受信品質情報３０を順次収集する受信品質収集部４２Ａを有している。
【００５０】
サーバ側制御部４２は、この受信品質収集部４２Ａにて収集した現在位置受信品質情報３０を管理する受信品質管理部４３を更新制御する受信品質管理制御部４２Ｂを有している。
【００５１】
受信品質管理部４３は、無線方式Ａ及び無線方式Ｂの全エリア内の位置毎に受信電力平均値を管理する受信電力平均値マップを無線方式単位で管理している。図６は、受信品質管理部４３で管理する受信電力平均値マップを端的に示す説明図である。
【００５２】
図６に示す１枚の受信電力平均値マップ５０は、Ｘ軸を経度及びＹ軸を緯度とし、１マス５０Ａで位置を示し、その位置毎に受信電力平均値及び最終更新時刻を管理するものとする。
【００５３】
受信品質管理制御部４２Ｂは、受信品質収集部４２Ａにて無線方式Ａ及び無線方式Ｂ内の無線端末５からの現在位置受信品質情報３０を収集する度に、受信電力平均値マップ５０上の同無線端末５の現在位置に対応する位置の受信電力平均値及び最終更新時刻を更新するものである。尚、受信電力平均値マップ５０上の各位置の受信電力平均値は、初期状態では予め設定した初期値の受信電力平均値を格納しているものとする。
【００５４】
受信品質管理制御部４２Ｂは、現在位置受信品質情報３０を収集する度に、現在位置受信品質情報３０に基づき、同現在位置に対応する位置の受信電力平均値を更新し、その最終更新時刻も併せて更新することになる。
【００５５】
その際、受信品質管理制御部４２Ｂは、現在位置受信品質情報３０内の現在位置での受信電力平均値を受信品質管理部４３に管理中の受信電力平均値マップ５０上の同現在位置に対応した受信電力平均値に更新する際、所定条件、すなわち、現在時刻から最終更新時刻までの差分に基づき重み付け加算する。
【００５６】
例えば、受信品質管理制御部４２Ｂは、例えば、その最終更新時刻から約３時間も経過している場合、今回の受信電力平均値を重視し、その受信電力平均値を受信品質管理部４３に管理中の同現在位置に対応した受信電力平均値に更新することになる。
【００５７】
また、受信品質管理制御部４２Ｂは、例えば、その最終更新時刻から約３分程度の場合、受信品質管理部４３に管理中の同現在位置に対応した受信電力平均値と今回の受信電力平均値との平均値で更新する。つまり、最終更新時刻から現在時刻までの経過時間に応じて受信電力平均値の更新度合いを変えるようにしている。尚、最終更新時刻から所定時間に到達した場合は初期値に戻るものとする。
【００５８】
また、図５に示すサーバ側制御部４２は、無線端末５からの周辺受信状況要求を受信すると、図６に示す受信電力平均値マップ５０上の無線端末５の現在位置５０Ｃを含む周辺領域５０Ｂの各位置に対応した受信電力平均値を含む周辺受信状況を、周辺受信状況要求を発した無線端末５に提供する周辺受信状況提供部４２Ｃを有している。
【００５９】
周辺受信状況提供部４２Ｃは、周辺受信状況要求を受信すると、この周辺受信状況要求に伴う無線端末５の現在位置受信品質情報３０内の無線端末５の現在位置５０Ｃを含む周辺領域５０Ｂの各位置に対応した受信電力平均値を受信品質管理部４３から読み出し、この読み出した無線端末の周辺領域５０Ｂ及び無線方式単位の受信品質を含む周辺受信状況を、通信インタフェース４１経由で無線端末５に提供するものである。
【００６０】
また、図２に示す無線端末５側の制御部１７内の要求通知部２４は、入力部１５の要求操作に応じて、応答要求フラグ３４がＯＮ設定の現在位置受信品質情報３０を管理サーバ６に通知するものである。
【００６１】
無線案内情報生成部２２は、管理サーバ６側の周辺受信状況提供部４２Ｃにて周辺受信状況を受信すると、この周辺受信状況内の周辺領域に関わる無線方式単位の受信品質内の受信電力平均値に対する無線方式毎の予測データレートに基づき、周辺領域内の各位置に関わる最適な広帯域の無線方式の選択を案内する無線案内情報を生成するものである。
【００６２】
図７は、無線方式Ａ及び無線方式Ｂに関わる受信電力平均値から無線方式Ａ及び無線方式Ｂの予測データレートを取得するための変換曲線を端的に示す説明図である。
【００６３】
無線案内情報生成部２２は、周辺受信状況内の周辺領域内の各位置の無線方式単位の受信電力平均値を取得すると、図７に示す無線方式Ａの変換曲線に応じて、同位置の無線方式Ａの受信電力平均値に対応する同位置の無線方式Ａの予測データレートを取得するものである。
【００６４】
また、無線案内情報生成部２２は、周辺受信状況内の周辺領域内の各位置の無線方式単位の受信電力平均値を取得すると、図７に示す無線方式Ｂの変換曲線に応じて、同位置の無線方式Ｂの受信電力平均値に対応する同位置の無線方式Ｂの予測データレートを取得するものである。
【００６５】
更に、無線案内情報生成部２２は、同位置の無線方式Ａの予測データレートと無線方式Ｂの予測データレートとを比較し、この比較結果に基づき同位置での最適な広帯域の無線方式を選択するものである。
【００６６】
無線案内情報生成部２２は、周辺受信状況内の周辺領域内の位置毎に最適な無線方式を選択し、これらを総合し、無線端末５の現在位置を含む周辺領域内の無線案内情報として生成するものである。
【００６７】
表示制御部２３は、無線案内情報生成部２２にて周辺領域に対応する無線案内情報を生成すると、この無線案内情報を表示部１６に画面表示するものである。
【００６８】
図８は、無線端末５の表示部１６に表示する無線案内情報の一例を端的に示す説明図である。
【００６９】
図８に示す表示部１６に表示中の無線案内情報では、“×”が無線端末５の現在位置を示し、現在位置から周辺領域の各位置の無線方式の予測データレートを濃淡で表し、色が淡くなればなる程、予測データレートが低く、色が濃くなればなる程、予測データレートが高くなることを示している。
【００７０】
無線端末５側のユーザは、表示部１６に表示中の無線案内情報を目視することで、例えば、表示画面上の色が濃い方向に移動することで、自分の現在位置から予測データレートの最適な広帯域の無線方式が得られる場所や方向を認識することができる。
【００７１】
次に、本実施例のコグニティブ無線システム１の動作について説明する。図９は、現在位置受信品質情報収集処理に関わるコグニティブ無線システム１内部の処理動作を示すシーケンス図である。
【００７２】
例えば、無線端末５（ＳＴ−Ａ）は、無線方式Ａを選択している場合、ＧＰＳ部１４又はアクセスポイント３（ＡＰ−Ａ）から現在位置を取得すると（ステップＳ１１）、受信電力平均値取得部１８を通じて使用中の無線チャネルに関わる無線方式Ａの受信電力平均値を取得する（ステップＳ１２）。
【００７３】
無線端末５（ＳＴ−Ａ）は、現在位置の無線方式Ａの受信電力平均値を取得すると、受信品質通知部２１を通じて、無線端末５（ＳＴ−Ａ）自体の現在位置及び無線方式Ａの受信電力平均値を含む現在位置受信品質情報３０をアクセスポイント３（ＡＰ−Ａ）及び公衆網４経由で管理サーバ６に通知する（ステップＳ１３）。この際、現在位置受信品質情報３０内の応答要求フラグ３４は、ＯＦＦ設定にするものとする。
【００７４】
そして、管理サーバ６は、通信インタフェース４１経由で、受信品質収集部４２Ａにて無線端末５からの現在位置受信品質情報３０を順次収集すると、受信品質管理制御部４２Ｂを通じて、現在位置受信品質情報３０内の現在位置及び今回の受信電力平均値を同現在位置に対応した受信品質管理部４３に管理中の受信電力平均値に所定条件に応じて順次更新する（ステップＳ１４）。尚、所定条件とは、前述した通り、現在時刻から最終更新時刻の差分に基づく受信電力平均値の段階的な更新に相当するものである。
【００７５】
更に、管理サーバ６は、無線端末５からの現在位置受信品質情報３０を収集すると、現在位置受信品質情報３０内の応答要求フラグ３４がＯＮ設定であるか否かを判定する（ステップＳ１５）。
【００７６】
管理サーバ６は、現在位置受信品質情報３０内の応答要求フラグ３４がＯＮ設定の場合（ステップＳ１５肯定）、図１０に示すＭ１に移行する。
【００７７】
また、管理サーバ６は、現在位置受信品質情報３０内の応答要求フラグ３４がＯＮ設定でない場合（ステップＳ１５否定）、応答要求フラグ３４がＯＦＦ設定と判断し、図９に示す処理動作を終了する。
【００７８】
尚、説明の便宜上、無線端末５（ＳＴ−Ａ）は、無線方式Ａを選択し、現在位置受信品質情報３０を管理サーバ６に通知する例を挙げて説明したが、例えば無線端末５（ＳＴ−Ａ）が、無線方式Ｂを選択している場合、ＧＰＳ部１４又はアクセスポイント３（ＡＰ−Ｂ）から現在位置を取得し、受信電力平均値取得部１８を通じて使用中の無線チャネルに関わる無線方式Ｂの受信電力平均値を取得し、更には、受信品質通知部２１を通じて、無線端末５（ＳＴ−Ａ）自体の現在位置及び無線方式Ｂの受信電力平均値を含む現在位置受信品質情報３０をアクセスポイント３（ＡＰ−Ｂ）及び公衆網４経由で管理サーバ６に通知するようにしても、管理サーバ６側では、同様に、現在位置受信品質情報３０に基づき、同現在位置に対応する受信品質管理部４３に管理中の受信電力平均値を所定条件に応じて更新するものである。
【００７９】
また、同様に、無線端末５（ＳＴ−Ｂ）が、無線方式Ｂを選択している場合、ＧＰＳ部１４又はアクセスポイント３（ＡＰ−Ｂ）から現在位置を取得すると、受信電力平均値取得部１８を通じて使用中の無線チャネルに関わる無線方式Ｂの受信電力平均値を取得し、更に、受信品質通知部２１を通じて、無線端末５（ＳＴ−Ｂ）自体の現在位置及び無線方式Ｂの受信電力平均値を含む現在位置受信品質情報３０をアクセスポイント３（ＡＰ−Ｂ）及び公衆網４経由で管理サーバ６に通知するようにしても、管理サーバ６側では、同様に、現在位置受信品質情報３０に基づき、同現在位置に対応する受信品質管理部４３に管理中の受信電力平均値を所定条件に応じて更新するものである。
【００８０】
図９に示す現在位置受信品質情報収集処理では、無線方式Ａ及び無線方式Ｂの各無線端末５から現在位置受信品質情報３０を順次収集することで、管理サーバ６側の受信品質管理部４３に管理中の無線方式単位の受信電力平均値を所定条件に応じて順次更新するようにしたので、受信品質管理部４３では、各無線端末５からの現在位置受信品質情報３０に基づき、無線方式Ａ及び無線方式Ｂの位置毎の最新の受信電力平均値を管理することができる。
【００８１】
また、図１０は、無線案内情報提供処理に関わるコグニティブ無線システム１内部の処理動作を示すシーケンス図である。
【００８２】
図１０に示す無線端末５（ＳＴ−Ａ）は、入力部１４を通じて無線端末５（ＳＴ−Ａ）側ユーザの周辺受信状況を検出すると（ステップＳ２１）、無線方式Ａを選択している場合、ＧＰＳ部１４又はアクセスポイント３（ＡＰ−Ａ）から現在位置を取得すると（ステップＳ２２）、更に、受信電力平均値取得部１８を通じて使用中の無線チャネルに関わる無線方式Ａの受信電力平均値を取得する（ステップＳ２３）。
【００８３】
無線端末５（ＳＴ−Ａ）は、現在位置の無線方式Ａの受信電力平均値を取得すると、受信品質通知部２１を通じて、無線端末５（ＳＴ−Ａ）自体の現在位置及び無線方式Ａの受信電力平均値を含む現在位置受信品質情報３０をアクセスポイント３（ＡＰ−Ａ）及び公衆網４経由で管理サーバ６に通知する（ステップＳ２４）。この際、現在位置受信品質情報３０内の応答要求フラグ３４は、ＯＮ設定にするものとする。
【００８４】
そして、管理サーバ６は、通信インタフェース４１経由で、受信品質収集部４２Ａにて無線端末５からの現在位置受信品質情報３０を順次収集すると、受信品質管理制御部４２Ｂを通じて、現在位置受信品質情報３０内の現在位置及び受信電力平均値を同現在位置に対応した受信品質管理部４３に管理中の受信電力平均値を所定条件に応じて順次更新する（ステップＳ２５）。尚、所定条件とは、前述した最終更新時刻に基づく受信電力平均値の段階的な更新に相当するものである。
【００８５】
更に、管理サーバ６は、無線端末５からの現在位置受信品質情報３０を収集すると、現在位置受信品質情報３０内の応答要求フラグ３４がＯＮ設定であるか否かを判定する（ステップＳ２６）。
【００８６】
管理サーバ６は、現在位置受信品質情報３０内の応答要求フラグ３４がＯＮ設定の場合（ステップＳ２６肯定）、周辺受信状況提供部４２Ｃにて現在位置受信品質情報３０内の現在位置を含む周辺領域内の各位置に対応した受信電力平均値を受信品質管理部４３から読み出し、これら読み出した周辺領域及び無線方式単位の受信品質を含む周辺受信状況を無線方式Ａのアクセスポイント３（ＡＰ−Ａ）を経由して無線端末５（ＳＴ−Ａ）に提供する（ステップＳ２７）。  
【００８７】
無線端末５（ＳＴ−Ａ）は、無線案内情報生成部２２にて周辺受信状況を受信すると、周辺受信状況に基づき、周辺領域内の各位置に関わる最適な無線方式の選択を案内する無線案内情報を生成し（ステップＳ２８）、表示制御部２３にて無線案内情報を表示部１６に画面表示する（ステップＳ２９）。
【００８８】
無線端末５（ＳＴ−Ａ）側のユーザは、表示部１６に画面表示中の無線案内情報に基づき、接続先を無線方式Ａに設定するか否かを判断する（ステップＳ３０）。
【００８９】
無線端末５（ＳＴ−Ａ）側のユーザは、接続先を無線方式Ａに設定する場合（ステップＳ３０肯定）、入力部１４を通じて無線端末５（ＳＴ−Ａ）の接続先を無線方式Ａに設定する（ステップＳ３１）。
【００９０】
また、無線端末５（ＳＴ−Ａ）側のユーザは、接続先を無線方式Ａに設定しない場合（ステップＳ３０否定）、接続先を無線方式Ｂに設定するか否かを判断する（ステップＳ３２）。
【００９１】
また、無線端末５（ＳＴ−Ａ）側のユーザは、接続先を無線方式Ｂに設定する場合（ステップＳ３２肯定）、入力部１４を通じて無線端末５（ＳＴ−Ａ）の接続先を無線方式Ｂに設定する（ステップＳ３３）。
【００９２】
また、無線端末５（ＳＴ−Ａ）側のユーザは、接続先を無線方式Ｂに設定しない場合（ステップＳ３２否定）、この無線端末５を現在位置から移動することで（ステップＳ３４）、図１０に示す処理動作を終了する。
【００９３】
また、管理サーバ６は、現在位置受信品質情報３０内の応答要求フラグ３４がＯＮ設定でない場合（ステップＳ２６否定）、図９に示すＭ２に移行する。
【００９４】
尚、無線端末５（ＳＴ−Ａ）は、ステップＳ３１又はステップＳ３３にて接続先を無線方式に設定するまでは無線案内情報を表示部１６上に画面表示するための予備通信であり、接続先を無線方式に設定した場合、その設定した無線方式を使用して実際の本通信を開始することになる。
【００９５】
図１０に示す無線案内情報提供処理では、周辺受信状況要求に応じて無線端末５の現在位置受信品質情報３０を管理サーバ６に通知し、管理サーバ６側では、無線端末５からの現在位置受信品質情報３０に基づき受信品質管理部４３内の同位置に関わる無線方式単位の受信電力平均値を所定条件で更新した後、同周辺受信状況要求の無線端末５の現在位置を含む周辺領域に対応した無線方式単位の周辺受信状況を無線端末５側に提供する。そして、無線端末５側では、管理サーバ６からの周辺受信状況を受信すると、この周辺受信状況内の周辺領域の各位置に関わる、無線方式単位の受信品質内の受信電力平均値に対応した無線方式毎の予測データレートに基づき、周辺領域内の各位置に関わる最適な無線方式の選択を案内する無線案内情報を生成し、この無線案内情報を表示部１６に画面表示する。
【００９６】
その結果、無線端末５側のユーザは、表示部１６に画面表示中の無線案内情報に基づき、現在位置を含む周辺領域での最適な広帯域の無線方式の位置を認識することができる。そして、無線端末５は、最適な広帯域の無線方式を選択することでデータダウンロードに要する時間を短縮化することができる。
【００９７】
図１１は、現在位置受信品質情報通知処理に関わる無線端末５内部の処理動作を示すシーケンス図である。
【００９８】
図１１に示す現在位置受信品質情報通知処理とは、無線端末５で取得した現在位置受信品質情報３０を取得すると、現在位置受信品質情報３０を管理サーバ６側に通知するための処理である。
【００９９】
受信電力平均値取得部１８は、定期的に現在位置での使用中の無線方式の受信電力平均値を取得する（ステップＳ４１）。
【０１００】
制御部１７は、ＧＰＳ部１４を通じて、定期的に現在位置を取得する（ステップＳ４２）。  
【０１０１】
制御部１７は、入力部１５を通じて周辺受信状況要求に伴う予備通信起動を検出すると（ステップＳ４３）、ステップＳ４１及びステップＳ４２にて取得した現在位置及び、現在位置での無線方式単位の受信電力平均値を含む現在位置受信品質情報３０を保持し（ステップＳ４４）、現在位置及び無線方式単位の受信電力平均値に基づき予備通信に使用する無線方式を決定する（ステップＳ４５）。
【０１０２】
制御部１７は、予備通信に使用する無線方式が無線方式Ａであるか否かを判定する（ステップＳ４６）。
【０１０３】
制御部１７は、予備通信に使用する無線方式が無線方式Ａの場合（ステップＳ４６肯定）、現在位置受信品質情報３０を無線方式Ａ用通信部１２Ａに通知する（ステップＳ４７）。尚、現在位置受信品質情報３０は、応答要求フラグ３４をＯＮ設定するものとする。
【０１０４】
そして、無線方式Ａ用通信部１２Ａは、アンテナ１１を通じてアクセスポイント３（ＡＰ−Ａ）及び公衆網４経由で管理サーバ６に現在位置受信品質情報３０を通知することで（ステップＳ４８）、図１１に示す処理動作を終了する。
【０１０５】
また、制御部１７は、予備通信に使用する無線方式が無線方式Ａでない場合（ステップＳ４６否定）、無線方式Ｂと判断し、現在位置受信品質情報３０を無線方式Ｂ用通信部１２Ａに通知する（ステップＳ４９）。尚、現在位置受信品質情報３０は、応答要求フラグ３４をＯＮ設定するものとする。
【０１０６】
そして、無線方式Ｂ用通信部１２Ｂは、アンテナ１１を通じてアクセスポイント３（ＡＰ−Ｂ）及び公衆網４経由で管理サーバ６に現在位置受信品質情報３０を通知することで（ステップＳ５０）、図１１に示す処理動作を終了する。
【０１０７】
図１１に示す現在位置受信品質情報通知処理では、無線端末５で取得した現在位置受信品質情報３０を取得すると、現在位置受信品質情報３０を管理サーバ６側に通知するようにしたので、管理サーバ６側では、各無線端末５からの現在位置受信品質情報３０を順次収集し、無線方式Ａ及び無線方式Ｂ内の全エリア内の位置毎に最新の受信電力平均値を無線方式単位で管理することができる。
【０１０８】
図１２は、無線案内情報表示処理に関わる無線端末６内部の処理動作を示すシーケンス図である。
【０１０９】
図１２に示す無線方式Ａ用通信部１２Ａは、アンテナ１１経由で周辺受信状況を受信すると（ステップＳ６１）、この周辺受信状況を制御部１７に通知する（ステップＳ６２）。
【０１１０】
制御部１７は、周辺受信状況を受信すると、無線案内情報生成部２２にて周辺受信状況内の位置毎の受信電力平均値に対応する予測データレートに基づき無線案内情報を生成し（ステップＳ６３）、表示制御部２３を通じて無線案内情報を表示部１６に通知し（ステップＳ６４）、無線案内情報を表示部１６に画面表示することで（ステップＳ６５）、図１２の処理動作を終了する。尚、無線案内情報生成部２２は、位置毎に、無線方式単位の予測データレートを比較し、その比較結果に基づき最適な広帯域の無線方式を選択する無線案内情報を表示部１６上に画面表示した。
【０１１１】
図１２に示す無線案内情報表示処理では、周辺受信状況を受信すると、この周辺受信状況内の各位置に対応した無線方式単位の受信電力平均値に対応する無線方式単位の予測データレートを取得し、これら無線方式単位の予測データレートを比較し、これら比較結果に基づき、広帯域の最適な無線方式の選択を案内する無線案内情報を表示部１６上に画面表示するようにしたので、無線端末５側のユーザは、無線案内情報を目視することで、例えば、表示画面上の色が濃い方向に移動することで、自分の現在位置から予測データレートの最適な広帯域の無線方式が得られる場所や方向を認識することができる。
【０１１２】
本実施例では、無線端末５側のユーザが、表示画面上の無線案内情報に基づき、現在位置を含む周辺領域内の各無線方式の無線状態、例えば無線チャネル・無線方式等の空間的な使用状況や干渉状況等を含め、広帯域の最適な無線方式や無線チャネルの選択を認識することができる。
【０１１３】
更に、本実施例では、各無線端末５から現在位置毎の無線方式単位の受信電力平均値を順次収集することで、無線方式内の各位置の受信電力平均値を管理サーバ６側で管理し、無線端末５に対して最適な無線方式の選択案内を促す無線案内情報を生成するのに必要な周辺受信状況を提供することができる。
【０１１４】
更に、本実施例では、無線端末５側のユーザは、表示画面上の無線案内情報に基づき、例えば、負荷の低い無線方式を選択すべく移動することが促されることになるため、無線方式全体のネットワークの負荷が軽減され、時間軸や周波数軸の空間的な周波数チャネルの利用効率の向上を図ることができる。
【０１１５】
更に、本実施例では、無線端末５側にて周辺受信状況を受信すると、この周辺受信状況内の各位置に対応した無線方式単位の受信電力平均値に対応する無線方式単位の予測データレートを取得し、これら無線方式単位の予測データレートを比較し、これら比較結果に基づき、広帯域の最適な無線方式の選択を案内する無線案内情報を表示部１６上に画面表示するようにしたので、無線端末５側のユーザは、無線案内情報を目視することで、例えば、表示画面上の色が濃い方向に移動することで、自分の現在位置から予測データレートの最適な広帯域の無線方式が得られる場所や方向を認識することができる。
【０１１６】
尚、上記実施例においては、各位置の無線方式毎の受信電力平均値に対応する無線方式毎の予測データレートの比較結果に基づき、最適な広帯域の無線方式を選択する無線案内情報を生成するようにしたが、無線方式の予測データレートに対応する無線方式のデータ従量単価を加味し、コストパフォーマンスに優れた最適な広帯域の無線方式を選択する無線案内情報を生成するようにしても良く、データ従量のコストパフォーマンスに優れた最適な無線方式を選択する無線案内情報をユーザ側に提供することができる。尚、無線端末５側では、無線案内情報で予測データレート面又はコスト面の何れかを重視すべきかを選択可能にし、コスト面を重視した無線案内情報又は予測データレート面を重視した無線案内情報を選択可能にしても良いことは言うまでもない。
【０１１７】
また、上記実施例においては、各位置の無線方式毎の受信電力平均値に対応する無線方式毎の予測データレートの比較結果に基づき、最適な無線方式を選択する無線案内情報を生成するようにしたが、単に各位置における無線方式毎の受信電力平均値の比較結果に基づき、受信電力平均値の最適な無線方式を選択する無線案内情報を生成するようにしても良いことは言うまでもない。
【０１１８】
また、上記実施例においては、無線端末５の現在位置受信品質情報３０を管理サーバ６に通知するタイミングとして無線端末５の未通信期間内の定期タイミングや周辺受信状況要求のタイミングで実行するようにしたが、例えば、無線端末５の通信開始タイミングや通信終了タイミング等で実行するようにしても良い。
【０１１９】
また、上記実施例においては、無線方式Ａ及び無線方式Ｂの２種類としたが、無線方式は３種類以上であっても良く、最適な無線方式を認識するための無線端末５側のユーザ負担を大幅に軽減することができることは言うまでもない。
【０１２０】
また、上記実施例においては、現在位置毎の受信品質として無線方式単位の無線チャネル毎の受信電力平均値を使用したが、無線方式の無線ャネル毎のチャネル推定値（伝播度特性）を使用しても同様の効果が得られることは言うまでもない。
【０１２１】
また、上記実施例においては、コグニティブ無線システム１内の各無線端末５側で周辺受信状況を管理サーバ６に要求する際には、無線端末５側の現在位置受信品質情報３０を管理サーバ６に通知するようにしたが、現在位置受信品質情報３０を通知しなくても、周辺受信状況を要求できるようにしても良いことは言うまでもない。
【０１２２】
また、上記実施例においては、コグニティブ無線システム１を例に挙げて説明したが、ソフトウェア無線システムにおいて同様の効果が得られることは言うまでもない。
【０１２３】
また、上記実施例においては、無線端末５側の受信電力平均値取得部１８にて使用中の無線チャネルの無線方式内の各無線チャネルの受信電力平均値を取得し、各無線チャネルの受信電力平均値を無線方式単位の受信電力平均値として現在位置受信品質情報３０として管理サーバ６側に通知するようにしたが、使用中の無線チャネルの無線方式の各無線チャネルの受信電力平均値以外に、通信可能な未使用中の他の無線方式の各無線チャネルの受信電力平均値を取得し、各無線チャネルの受信電力平均値を無線方式単位の受信電力平均値として現在使用中の無線方式と一緒に現在位置受信品質情報３０を管理サーバ６側に通知するようにしても良く、この場合、管理サーバ６側では、ある位置での複数の無線方式の受信電力平均値を得ることができるため、同位置に対応する各無線方式の受信電力平均値を反映させるようにしても良い。
【０１２４】
また、上記実施例においては、管理サーバ６側で各無線端末５から現在位置毎の無線方式単位の受信品質を順次収集することで、無線方式内の各位置の受信品質を管理し、無線端末５に対して最適な無線方式の選択案内を促す無線案内情報を生成するのに必要な周辺受信状況を提供するようにしたが、例えば、管理サーバ６側で無線案内情報を生成するようにしても良く、無線案内情報を生成する無線端末５側の負担を大幅に軽減することができる。
【０１２５】
以上、本発明の実施例について説明したが、本実施例によって本発明の技術的思想の範囲が限定されるものではなく、特許請求の範囲に記載した技術的思想の範囲を逸脱しない限り、各種様々な実施例が実施可能であることは言うまでもない。また、本実施例に記載した効果は、これに限定されるものではない。
【０１２６】
また、本実施例で説明した各種処理の内、自動的に行われるものとして説明した処理の全部又は一部を手動で行うことも可能であることは勿論のこと、その逆に、手動で行われるものとして説明した処理の全部又は一部を自動で行うことも可能であることは言うまでもない。また、本実施例で説明した処理手順、制御手順、具体的名称、各種データやパラメータを含む情報についても、特記した場合を除き、適宜変更可能であることは言うまでもない。
【０１２７】
また、図示した各装置の各構成要素は機能概念的に記載したものであって、必ずしも物理的に図示のように構成されるものではなく、その各装置の具体的な態様は図示のものに限縮されるものでは到底ないことは言うまでもない。
【０１２８】
さらに、各装置で行われる各種処理機能は、ＣＰＵ（Ｃｅｎｔｒａｌ  Ｐｒｏｃｅｓｓｉｎｇ  Ｕｎｉｔ）（又はＭＰＵ（Ｍｉｃｒｏ  Ｐｒｏｃｅｓｓｉｎｇ  Ｕｎｉｔ）、ＭＣＵ（Ｍｉｃｒｏ  Ｃｏｎｔｒｏｌｌｅｒ  Ｕｎｉｔ）等のマイクロ・コンピュータ）上、又は同ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしても良いことは言うまでもない。
【０１２９】
以上、本実施例を含む実施の形態に関し、更に以下の付記を開示する。
【０１３０】
（付記１）表示装置付きで、複数の異なる無線方式の内、一の無線方式を選択して無線通信する１または複数の無線端末装置と、前記無線方式毎に複数のアクセスポイントを含むネットワークを介して前記各無線端末装置と通信可能な管理サーバとを有する無線通信システムであって、
前記無線端末装置は、
前記管理サーバと通信可能な端末通信部と、
該無線端末装置毎に現在位置及び、この現在位置に関わる無線方式単位の最寄りのアクセスポイントから当該無線端末装置への情報を受信して受信品質を取得する受信品質取得部と、
前記無線端末装置に関わる現在位置及び無線方式単位の受信品質を、前記端末通信部を介して、順次前記管理サーバに通知する受信品質通知部と、
前記端末通信部を介して前記管理サーバに周辺受信状況を要求するコマンドを送信するコマンド送信部と、
前記端末通信部を介して、前記管理サーバから前記周辺受信状況を受信する周辺状況受信部と、
該周辺受信状況に基づき、前記無線端末装置の周辺領域内の各位置に関わる最適な無線方式の選択を案内する無線案内情報を生成する無線案内情報生成部と、
前記無線案内情報を前記表示装置の前記画面上に表示する表示制御部と、
前記画面上に表示された前記無線案内情報から使用する無線方式を選択する指定部と、
前記選択された無線方式を使用するように、無線方式を切替える切替部とを備え、
前記管理サーバは、
前記無線端末装置と通信可能なサーバ通信部と、
前記無線端末装置に関わる現在位置及び無線方式単位の受信品質を、前記無線端末装置から前記サーバ通信部を介して順次受信して品質を判断して収集する受信品質収集部と、
前記受信品質収集部にて収集した前記無線端末装置に関わる現在位置及び無線方式単位の受信品質に基づき、前記無線端末装置の位置毎の受信品質を無線方式単位に記録・管理する受信品質管理部と、
前記無線端末装置から前記サーバ通信部を介して、所定の要求コマンドを受信すると、この無線端末装置の現在位置を含む周辺領域及び、この周辺領域内の各位置に対応する無線方式単位の受信品質を前記受信品質管理部から読み出し、前記サーバ通信部を介して、前記読み出した前記無線端末装置の周辺領域及び無線方式単位の受信品質を含む周辺受信状況を、前記所定要求コマンドを送信した無線端末装置側に送信する周辺受信状況提供部とを備え、
前記無線端末装置が受信品質のよい無線方式を選択可能なことを特徴とする無線通信システム。
【０１３１】
（付記２）表示装置付きで、複数のアクセスポイントを含むネットワークを介して通信可能で、複数の異なる無線方式の内、１または複数の無線方式を選択可能な無線端末装置であって、
管理サーバと通信可能な端末通信部と、
該無線端末装置毎に現在位置及び、この現在位置に関わる無線方式単位の最寄りのアクセスポイントから当該無線端末装置への情報を受信して受信品質を取得する受信品質取得部と、
前記無線端末装置に関わる現在位置及び無線方式単位の受信品質を、前記端末通信部を介して、順次前記管理サーバに通知する受信品質通知部と、
前記端末通信部を介して前記管理サーバに周辺受信状況を要求するコマンドを送信するコマンド送信部と、
前記端末通信部を介して、前記管理サーバから前記周辺受信状況を受信する周辺状況受信部と、
該周辺受信状況に基づき、前記無線端末装置の周辺領域内の各位置に関わる最適な無線方式の選択を案内する無線案内情報を生成する無線案内情報生成部と、
前記無線案内情報を前記表示装置の前記画面上に表示する表示制御部と、
前記画面上に表示された前記無線案内情報から使用する無線方式を選択する指定部と、
前記選択された無線方式を使用するように、無線方式を切替える切替部と
を備えたことを特徴とする無線端末装置。
【０１３２】
（付記３）前記無線案内情報生成部は、
前記管理サーバ側から前記周辺受信状況を受信すると、この周辺受信状況内の前記周辺領域の各位置に関わる、前記無線方式単位の受信品質内の受信レベル平均値に対応した無線方式毎の予測データレートに基づき、前記周辺領域内の各位置に関わる最適な無線方式の選択を案内する無線案内情報を生成することを特徴とする付記２記載の無線端末装置。
【０１３３】
（付記４）前記無線案内情報生成部は、
前記管理サーバ側から前記周辺受信状況を受信すると、この周辺受信状況内の前記周辺領域の各位置に関わる、前記無線方式単位の受信品質内の受信レベル平均値に対応した無線方式毎の予測データレート及び無線方式毎のデータ従量単価に基づき、前記周辺領域内の各位置に関わる最適な無線方式の選択を案内する無線案内情報を生成することを特徴とする付記３記載の無線端末装置。
【０１３４】
（付記５）前記受信品質管理部は、
前記受信品質取得部にて取得した前記無線端末装置に関わる現在位置及び無線方式単位の受信品質を前記無線端末装置から順次収集すると、この現在位置に対応する管理中の受信品質に関わる最終更新時刻に基づき、これら収集した現在位置に対応する無線方式単位の受信品質を、この現在位置に対応する管理中の無線方式単位の受信品質に更新することを特徴とする付記２〜４の何れか一に記載の無線端末装置。
【０１３５】
（付記６）前記受信品質取得部にて取得する前記無線端末装置の現在位置に関わる無線方式単位の受信品質は、この無線端末装置にて現在使用中の無線方式内の各無線チャネルに関わる受信品質を含むことを特徴とする付記２〜５の何れか一に記載の無線端末装置。
【０１３６】
（付記７）表示装置付きで、複数の異なる無線方式の内、一の無線方式を選択して無線通信する１または複数の無線端末装置に対して、前記無線方式毎に複数のアクセスポイントを含むネットワークを介して通信可能な管理サーバであって、
前記管理サーバは、
前記無線端末装置と通信可能なサーバ通信部と、
前記無線端末装置に関わる現在位置及び無線方式単位の受信品質を、前記無線端末装置から前記サーバ通信部を介して順次受信して品質を判断して収集する受信品質収集部と、
前記受信品質収集部にて収集した前記無線端末装置に関わる現在位置及び無線方式単位の受信品質に基づき、前記無線端末装置の位置毎の受信品質を無線方式単位に記録・管理する受信品質管理部と、
前記無線端末装置から前記サーバ通信部を介して、所定の要求コマンドを受信すると、この無線端末装置の現在位置を含む周辺領域及び、この周辺領域内の各位置に対応する無線方式単位の受信品質を前記受信品質管理部から読み出し、前記サーバ通信部を介して、前記読み出した前記無線端末装置の周辺領域及び無線方式単位の受信品質を含む周辺受信状況を、前記所定要求コマンドを送信した前記無線端末装置側に送信する周辺受信状況提供部とを備え、
前記無線端末装置側に無線方式を選択可能な情報を提供することを特徴とする管理サーバ。
【０１３７】
（付記８）表示装置付きで、複数の異なる無線方式の内、一の無線方式を選択して無線通信する１または複数の無線端末装置と、前記無線方式毎に複数のアクセスポイントを含むネットワークを介して前記各無線端末装置と通信可能な管理サーバとが実行する無線案内プログラムであって、
前記無線端末装置は、
前記管理サーバと通信可能な端末通信手順と、
該無線端末装置毎に現在位置及び、この現在位置に関わる無線方式単位の最寄りのアクセスポイントから当該無線端末装置への情報を受信して受信品質を取得する受信品質取得手順と、
前記無線端末装置に関わる現在位置及び無線方式単位の受信品質を、前記端末通信手順を介して、順次前記管理サーバに通知する受信品質通知手順と、
前記端末通信手順を介して前記管理サーバに周辺受信状況を要求するコマンドを送信するコマンド送信手順と、
前記端末通信手順を介して、前記管理サーバから前記周辺受信状況を受信する周辺状況受信手順と、
該周辺受信状況に基づき、前記無線端末装置の周辺領域内の各位置に関わる最適な無線方式の選択を案内する無線案内情報を生成する無線案内情報生成手順と、
前記無線案内情報を前記表示装置の前記画面上に表示する表示制御手順と、
前記画面上に表示された前記無線案内情報から使用する無線方式を選択する指定手順と、
前記選択された無線方式を使用するように、無線方式を切替える切替手順とを含むプログラムを実行させると共に、
前記管理サーバは、
前記無線端末装置と通信可能なサーバ通信手順と、
前記無線端末装置に関わる現在位置及び無線方式単位の受信品質を、前記無線端末装置から前記サーバ通信手順を介して順次受信して品質を判断して収集する受信品質収集手順と、
前記受信品質収集手順にて収集した前記無線端末装置に関わる現在位置及び無線方式単位の受信品質に基づき、前記無線端末装置の位置毎の受信品質を無線方式単位に記録・管理する受信品質管理手順と、
前記無線端末装置から前記サーバ通信手順を介して、所定の要求コマンドを受信すると、この無線端末装置の現在位置を含む周辺領域及び、この周辺領域内の各位置に対応する無線方式単位の受信品質を前記受信品質管理手順から読み出し、前記サーバ通信手順を介して、前記読み出した前記無線端末装置の周辺領域及び無線方式単位の受信品質を含む周辺受信状況を、前記所定要求コマンドを送信した無線端末装置側に送信する周辺受信状況提供手順とを含むプログラムを実行させることで、
前記無線端末装置が受信品質のよい無線方式を選択可能にしたことを特徴とする無線案内プログラム。
【０１３８】
（付記９）表示装置付きで、複数の異なる無線方式の内、一の無線方式を選択して無線通信する１または複数の無線端末装置と、前記無線方式毎に複数のアクセスポイントを含むネットワークを介して前記各無線端末装置と通信可能な管理サーバとを有する無線通信システムの無線案内方法であって、
前記管理サーバと通信可能な前記無線端末装置側の端末通信ステップと、
該無線端末装置毎に現在位置及び、この現在位置に関わる無線方式単位の最寄りのアクセスポイントから当該無線端末装置への情報を受信して受信品質を取得する前記無線端末装置側の受信品質取得ステップと、
前記無線端末装置に関わる現在位置及び無線方式単位の受信品質を、前記端末通信ステップを介して、順次前記管理サーバに通知する前記無線端末装置側の受信品質通知ステップと、
前記端末通信ステップを介して前記管理サーバに周辺受信状況を要求するコマンドを送信する前記無線端末装置側のコマンド送信ステップと、
前記端末通信ステップを介して、前記管理サーバから前記周辺受信状況を受信する前記無線端末装置側の周辺状況受信ステップと、
該周辺受信状況に基づき、前記無線端末装置の周辺領域内の各位置に関わる最適な無線方式の選択を案内する無線案内情報を生成する前記無線端末装置側の無線案内情報生成ステップと、
前記無線案内情報を前記表示装置の前記画面上に表示する前記無線端末装置側の表示制御ステップと、
前記画面上に表示された前記無線案内情報から使用する無線方式を選択する前記無線端末装置側の指定ステップと、
前記選択された無線方式を使用するように、無線方式を切替える前記無線端末装置側の切替ステップと、
前記無線端末装置と通信可能な前記管理サーバ側のサーバ通信ステップと、
前記無線端末装置に関わる現在位置及び無線方式単位の受信品質を、前記無線端末装置から前記サーバ通信ステップを介して順次受信して品質を判断して収集する前記管理サーバ側の受信品質収集ステップと、
前記受信品質収集ステップにて収集した前記無線端末装置に関わる現在位置及び無線方式単位の受信品質に基づき、前記無線端末装置の位置毎の受信品質を無線方式単位に記録・管理する前記管理サーバ側の受信品質管理ステップと、
前記無線端末装置から前記サーバ通信ステップを介して、所定の要求コマンドを受信すると、この無線端末装置の現在位置を含む周辺領域及び、この周辺領域内の各位置に対応する無線方式単位の受信品質を前記受信品質管理ステップから読み出し、前記サーバ通信ステップを介して、前記読み出した前記無線端末装置の周辺領域及び無線方式単位の受信品質を含む周辺受信状況を、前記所定要求コマンドを送信した無線端末装置側に送信する前記管理サーバ側の周辺受信状況提供ステップとを含み、
前記無線端末装置が受信品質のよい無線方式を選択可能にしたことを特徴とする無線案内方法。
【０１３９】
（付記１０）表示装置付きで、複数の異なる無線方式の内、一の無線方式を選択して無線通信する１または複数の無線端末装置と、前記無線方式毎に複数のアクセスポイントを含むネットワークを介して前記各無線端末装置と通信可能な管理サーバとを有する無線通信システムであって、
前記無線端末装置は、
前記管理サーバと通信可能な端末通信部と、
該無線端末装置毎に現在位置及び、この現在位置に関わる無線方式単位の最寄りのアクセスポイントから当該無線端末装置への情報を受信して受信品質を取得する受信品質取得部と、
前記無線端末装置に関わる現在位置及び無線方式単位の受信品質を、前記端末通信部を介して、順次前記管理サーバに通知する受信品質通知部と、
前記端末通信部を介して前記管理サーバに、前記無線端末装置の周辺領域内の各位置に関わる最適な無線方式の選択を案内する無線案内情報を要求するコマンドを送信するコマンド送信部と、
前記端末通信部を介して、前記管理サーバから前記無線案内情報を受信する無線案内情報受信部と、
前記無線案内情報受信部にて受信した前記無線案内情報を前記表示装置の前記画面上に表示する表示制御部と、
前記画面上に表示された前記無線案内情報から使用する無線方式を選択する指定部と、
前記選択された無線方式を使用するように、無線方式を切替える切替部とを備え、
前記管理サーバは、
前記無線端末装置と通信可能なサーバ通信部と、
前記無線端末装置に関わる現在位置及び無線方式単位の受信品質を、前記無線端末装置から前記サーバ通信部を介して順次受信して品質を判断して収集する受信品質収集部と、
前記受信品質収集部にて収集した前記無線端末装置に関わる現在位置及び無線方式単位の受信品質に基づき、前記無線端末装置の位置毎の受信品質を無線方式単位に記録・管理する受信品質管理部と、
前記無線端末装置から前記サーバ通信部を介して、所定の要求コマンドを受信すると、この無線端末装置の現在位置を含む周辺領域及び、この周辺領域内の各位置に対応する無線方式単位の受信品質を前記受信品質管理部から読み出し、この読み出した前記無線端末装置の周辺領域及び無線方式単位の受信品質を含む周辺受信状況に基づき、前記無線案内情報を生成する無線案内情報生成部と、
前記サーバ通信部を介して、前記無線案内情報生成部にて生成した前記無線案内情報を、前記所定要求コマンドを送信した無線端末装置側に送信する無線案内情報提供部とを備え、
前記無線端末装置が受信品質のよい無線方式を選択可能にしたことを特徴とする無線通信システム。
【図面の簡単な説明】
【０１４０】
【図１】本実施例のコグニティブ無線システム全体の概略構成を示す説明図である。
【図２】無線端末内部の概略構成を示すブロック図である。
【図３】無線方式Ａ及び無線方式Ｂに関わる受信電力と周波数との関係を端的に示す説明図である。
【図４】現在位置受信品質情報内部のデータ構成を端的に示す説明図である。
【図５】管理サーバ内部の概略構成を示すブロック図である。
【図６】受信品質管理部で管理する受信電力平均値マップを端的に示す説明図である。
【図７】無線方式Ａ及び無線方式Ｂに関わる受信電力平均値から無線方式Ａ及び無線方式Ｂの予測データレートを取得するための変換曲線を端的に示す説明図である。
【図８】無線端末の表示部に表示する無線案内情報の一例を端的に示す説明図である。
【図９】現在位置受信品質情報収集処理に関わるコグニティブ無線システム内部の処理動作を示すシーケンス図である。
【図１０】無線案内情報提供処理に関わるコグニティブ無線システム内部の処理動作を示すシーケンス図である。
【図１１】現在位置受信品質情報通知処理に関わる無線端末内部の処理動作を示すシーケンス図である。
【図１２】無線案内情報表示処理に関わる無線端末内部の処理動作を示すシーケンス図である。
【符号の説明】
【０１４１】
１  コグニティブ無線システム
５  無線端末
６  管理サーバ  
１６  表示部
１８  受信電力平均値取得部
２１  受信品質通知部
２２  無線案内情報生成部
２３  表示制御部
２４  要求通知部
４２Ａ  受信品質収集部
４２Ｂ  受信品質管理制御部
４２Ｃ  周辺受信状況提供部
４３  受信品質管理部
【図１】
2010041101.tif 000003
【図２】
2010041101.tif 000004
【図３】
2010041101.tif 000005
【図４】
2010041101.tif 000006
【図５】
2010041101.tif 000007
【図６】
2010041101.tif 000008
【図７】
2010041101.tif 000009
【図８】
2010041101.tif 000010
【図９】
2010041101.tif 000011
【図１０】
2010041101.tif 000012
【図１１】
2010041101.tif 000013
【図１２】
2010041101.tif 000014